(57)【要約】【課題】だれでもが簡単に複数の表面意匠のタイルを基板上にランダムに配置することができる建築板を提供する。【解決手段】複数の縦タイル１２と、複数の横タイル１３とを基板１１上にランダムに貼り付ける建築板１０の製造方法であって、縦タイル１２及び横タイル１３をランダムに配列して収納した同じセットを予め複数用意し、１つ目のセットから縦タイル１２及び横タイル１３を取り出して基板１１の一端から他端に向かって貼り付けていき、貼り付けが基板１１の他端まで達したとき、一段下げて一端から他端に向けて再度貼り付けていき、１つ目のセットのタイル（１２,１３）の全ての貼り付けが終了したら、２つ目のセットの縦タイル１２及び横タイル１３を取り出して貼り付けていき、これら繰り返し行って基板１１上に縦タイル１２及び横タイル１３がランダムに配置されて貼り付けられる。【選択図】図１Ａ
2017186884.tif 000002
【特許請求の範囲】
【請求項１】
複数の表面意匠のタイルを基板上にランダムに配置して貼り付けられた建築板であって、
前記基板の第１基線から第２基線まで基線に直交する方向に順番に並べられた前記タイルの表面意匠は隣接するタイルとは異なっていて、前記第２基線から隣接する段の前記第１基線から前記第２基線に続いて順番に並べられた前記タイルは、３より大きい素数の枚数毎に同じ配列が現れる構成となっていることを特徴とする建築板。
【請求項２】
前記表面意匠は、前記タイルの色であることを特徴とする請求項１に記載の建築板。
【請求項３】
前記表面意匠は、前記タイルの縦横の向きを表す意匠であることを特徴とする請求項１又は２に記載の建築板。
【請求項４】
前記表面意匠は、前記タイルの柄であることを特徴とする請求項１乃至３のいずれか１項に記載の建築板。
【請求項５】
縦凹部を有する複数の縦タイルと、横凹部を有する複数の横タイルとを基板上にランダムに配置して貼り付けた建築板であって、
前記ランダムに配置された複数の縦タイルと横タイルのうちの一部に、縦タイルの前後と左右に横タイルが配置された組み合わせを設けたことを特徴とする建築板。
【請求項６】
前記縦タイル及び横タイルが略正方形であることを特徴とする請求項５に記載の建築板。
【請求項７】
前記縦タイル及び横タイルの表面が複数の色に着色されていることを特徴とする請求項５又は６に記載の建築板。
【請求項８】
請求項１乃至７のいずれか１項に記載の建築板が設置された建物。
【請求項９】
表面意匠が異なる複数のタイルを基板上に貼り付ける建築板の製造方法であって、
前記タイルの合計数を３より大きい素数枚とし、同じ表面意匠が連続しないように配列して収納した同じ配列のセットを予め複数用意し、
１つ目の前記セットから前記配列の順番にしたがって１枚ずつタイルを取り出して、前記基板の第１基線から第２基線に向かって貼り付けていき、
その貼り付けが基板の第２基線まで達したとき、一段移動して前記第１基線から第２基線に向けて再度貼り付けていき、
１つ目のセットのタイルの全ての貼り付けが終了したら、２つ目のセットのタイルを前記配列の順番にしたがって１枚ずつ取り出して、１つ目の最後のタイルの隣から第２基線に向かって配置して貼り付けていき、これらタイルの貼り付けをセットごとに繰り返し行って前記基板上に複数の表面意匠のタイルがランダムに配置されて貼り付けられることを特徴とする建築板の製造方法。
【請求項１０】
前記タイルが略正方形であることを特徴とする請求項９に記載の建築板の製造方法。
【請求項１１】
前記タイルの表面が複数の色に着色されていることを特徴とする請求項９又は１０に記載の建築板の製造方法。
【請求項１２】
縦凹部を有する複数の縦タイルと、横凹部を有する複数の横タイルとを基板上にランダムに配置して貼り付ける建築板の製造方法であって、
前記縦タイル及び横タイルの合計数を奇数枚とし、これら複数の縦タイル及び横タイルをランダムに配列して収納した同じセットを予め複数用意し、
１つ目の前記セットから複数の縦タイル及び横タイルを前記配列の順番にしたがって１枚ずつ取り出して、前記基板の一端から他端に向かって貼り付けていき、
その貼り付けが基板の他端まで達したとき、一段移動して前記一端から他端に向けて再度貼り付けていき、
１つ目のセットのタイルの全ての貼り付けが終了したら、２つ目のセットの複数の縦タイル及び横タイルを前記配列の順番にしたがって１枚ずつ取り出して、１つ目の最後のタイルの隣から他端に向かって配置して貼り付けていき、これらタイルの貼り付けをセットごとに繰り返し行って前記基板上に縦タイル及び横タイルがランダムに配置されて貼り付けられることを特徴とする建築板の製造方法。
【発明の詳細な説明】
【技術分野】
【０００１】
この発明は、複数の表面意匠のタイルを基板上にランダムに配置して貼り付けられた建築板、建物及び建築板の製造方法に関する。
【背景技術】
【０００２】
従来から、基板上に表層材を貼り付けた建築板が知られている（特許文献１参照）。
かかる建築板は、表層材に形成されたタイル状のセクションを千鳥状に配置したものであり、各セクションは規則正しく配列されている。このため、観者に飽きを感じさせる問題がある。
この問題を解消したものとして、表面に凸ブロックと凹ブロックをランダムに形成した建築板がある（特許文献２参照）。
【０００３】
かかる建築板は、抄造マットの表面にエンボス加工を施す際に、凸ブロックと凹ブロックを複数形成し、これら凸ブロックと凹ブロックがランダムに配列されるようにしている。
【先行技術文献】
【特許文献】
【０００４】
【特許文献１】特開平３−２３２７５４号公報
【特許文献２】特開２００５−６１１５２号公報
【発明の概要】
【発明が解決しようとする課題】
【０００５】
このような建築板にあっては、抄造マットの表面に凸ブロックと凹ブロックを形成するため、手間暇がかかるという問題がある。そこで、基板上にタイルを貼り付けることによって製造する建築板が提案されている。
【０００６】
しかしながら、この建築板では、意匠性を向上させるために、例えば２種類のタイル（縦タイル及び横タイル）をランダムに貼り付けるようにしているが、その縦タイル及び横タイルをランダムに配置することが非常に難しく、熟練を要する場合があるという問題があった。
【０００７】
この発明の目的は、だれでもが簡単に複数の表面意匠のタイルを基板上にランダムに配置することができる建築板、建物及び建築板の製造方法を提供することにある。
【課題を解決するための手段】
【０００８】
本発明の建築板は、複数の表面意匠のタイルを基板上にランダムに配置して貼り付けられた建築板であって、前記基板の第１基線から第２基線まで基線に直交する方向に順番に並べられた前記タイルの表面意匠は隣接するタイルとは異なっていて、前記第２基線から隣接する段の前記第１基線から前記第２基線に続いて順番に並べられた前記タイルは、３より大きい素数の枚数毎に同じ配列が現れる構成となっていることを特徴とする。
【発明の効果】
【０００９】
この発明によれば、だれでもが簡単に縦タイルや横タイルなどの複数の表面意匠のタイルを基板上にランダムに配置することができる。
【図面の簡単な説明】
【００１０】
【図１Ａ】この発明に係る建築板を示した正面図である。
【図１Ｂ】縦タイルの上下及び左右に横タイルが配置された組み合わせの説明図である。
【図２】図１Ａに示す縦タイル及び横タイルをランダムに配列して収納箱に収納した状態を示した説明図である。
【図３】図２に示す縦タイル及び横タイルの配列の順番を示した表１である。
【図４】第２実施例の建築板を示した正面図である。
【図５】第２実施例の縦タイル及び横タイルをランダムに配列して収納箱に収納した状態を示した説明図である。
【図６Ａ】図５に示す縦タイル及び横タイルの配列の順番を示した表２である。
【図６Ｂ】Ａ色のタイルの上下及び左右に、Ａ色と異なる色のタイルが配置された組み合わせの説明図である。
【図７】建築板に貼られたタイルの同じ色の比率を示す表３である。
【図８】実施例２の建築板を示した正面図である。
【図９】実施例２の縦タイル及び横タイルをランダムに配列して収納箱に収納した状態を示した説明図である。
【図１０】図９に示す縦タイル及び横タイルの配列の順番を示した表４である。
【図１１】実施例３の表面意匠に影響を及ぼすタイルの柄を断面形状で説明する表５である。
【図１２】実施例４の全壁における配列再現単位の出現回数を建築板のパネル幅とセットの梱包枚数との関係でまとめた表６である。
【図１３Ａ】図１２の表６を説明するために、３種類の表面意匠のタイルを収納箱に収納した例を示した説明図である。
【図１３Ｂ】図１２の表６を説明するための建築板を示した正面図である。
【発明を実施するための形態】
【００１１】
以下、この発明に係る建築板と建築板の製造方法の実施の形態である実施例を図面に基づいて説明する。
【実施例１】
【００１２】
［第１実施例］
【００１３】
図１Ａは、建物に使用される建築板１０を示す。この建築板１０は、基板１１上に略正方形の複数の縦タイル１２と、略正方形の複数の横タイル１３とをランダムに配置して貼り付けたものである。建築板１０は建物（図示せず）の外壁などとして設置される。
【００１４】
縦タイル１２は縦方向に沿って中央部に凹部１２ｕが形成された表面意匠をしており、横タイル１３は横方向に沿って中央部に凹部１３ｕが形成された表面意匠をしている。また、各タイル上に付されているＮＯ１〜ＮＯ３６は、タイルの貼り付け順番を示すものであり、基板１１の下部（図１Ａにおいて）の一端（左端部、第１基線）から他端（右端部、第２基線）に向かって貼り付けていく順番を示す。また、他端まで順番が付されたのち、一段上がって上述のように一端から他端へ順番が付されている。
【００１５】
図２は、５枚の縦タイル１２と６枚の横タイル１３との合計１１枚のタイルをランダムに配列して収納箱２０に収納させて１つのセット２１を構成したものを示す。
【００１６】
図３は、収納箱２０に収納された縦タイル１２と横タイル１３の配列の順番を示した表１を示す。表１に示す順番は、図２に示す縦タイル１２及び横タイル１３の上から並べた順番を示すものである。また、表１の「横」の文字は横タイル１３を示し、「縦」の文字は縦タイル１２を示す。
【００１７】
このセット２１を予め複数個用意しておく。各セット２１は、５枚の縦タイル１２と６枚の横タイル１３が全く同一にランダムに配列されて収納箱２０に収納されている。縦タイル１２及び横タイル１３の合計枚数は１１枚（素数）の奇数枚に限定されるものではなく、また、どちらか一方がＮ枚で、他方がＮ＋１枚となれば、どのような奇数の合計枚数であってもよい。
【００１８】
各収納箱２０に収納されている縦タイル１２及び横タイル１３の取出し順序が図３の表に示すように予め決められている。例えば、図２に示すように、上から順番に取り出すように決められており、図２に付されているＳ１〜Ｓ１１がその取り出し順番を示す。
［製造方法］
【００１９】
次に、上記のように構成される建築板１０の製造方法について説明する。
先ず、タイルを貼り付ける基板１１と複数のセット２１を予め用意しておく。
【００２０】
図２に示す１つ目のセット２１の収納箱２０から縦タイル１２及び横タイル１３を予め決められた順番Ｓ１〜Ｓ１１に取り出して、図１Ａに示すように基板１１上のＮＯ１〜ＮＯ１１に対応させて順番に貼り付けていく。すなわち、基板１１の下部の一端（左端、第１基線）から他端（右端、第２基線）に向かって貼り付けていき、その貼り付けが基板１１の他端まで達したとき、一段上げて一端（第１基線）から他端（第２基線）に向けて再度貼り付けていく。
【００２１】
そして、１つ目のセット２１の全ての縦タイル１２及び横タイル１３の貼り付けが終了したら、２つ目のセット２１（図２参照）の縦タイル１２及び横タイル１３を上記と同様にして予め決められた順番Ｓ１〜Ｓ１１に取り出し、図１Ａに示すＮＯ１２から順番に貼り付けていく。
【００２２】
これらの作業を繰り返し行って、図１Ａに示すように基板１１上の全体に渡って縦タイル１２及び横タイル１３を貼り付けていく。
【００２３】
このように、収納箱２０から予め決められた順番に縦タイル１２及び横タイル１３を取り出して、決められた順番に基板１１上に貼り付けていけば、図１Ａに示すように縦タイル１２及び横タイル１３が基板１１上にランダムに配置されていき、縦タイル１２及び横タイル１３を基板１１上にランダムに配置した建築板１０をだれもが簡単に製造することができる。この建築板１０の縦タイル１２及び横タイル１３のうち、図１Ｂに示すように、一部に縦タイル１２の上下（前後）及び左右に横タイル１３が配置された組み合わせを配置することにより、一層のランダム感を出すことができる。
この実施例では、ＮＯ１９,ＮＯ２７,ＮＯ３０の縦タイル１２の上下左右に横タイル１３が配置されて、上記の組み合わせが形成されている。この組み合わせが形成されるように、予め収納箱２０に複数の縦タイル１２及び横タイル１３をランダムに配列して収納させておく。
【００２４】
また、縦タイル１２及び横タイル１３の合計枚数が１１枚（奇数枚）であることにより、２つ目のセット２１の縦タイル１２及び横タイル１３の貼り付け開始位置は、図１Ａに示すＮＯ１２の位置からとなり、３つ目のセット２１の貼り付け開始位置はＮＯ２３の位置となり、４つ目のセット２１の貼り付け開始位置はＮＯ３４の位置となり、横方向に対する位置がずれていくことになる。このように、貼り付け開始位置となる横方向に対する位置がずれていくことにより、縦タイル１２及び横タイル１３がより一層にランダムに配置されていくことになる。
［第２実施例］
【００２５】
図４は、第２実施例の建築板１１０を示す。この建築板１１０は、基板１１１上に複数の縦タイル１１２Ａ〜１１２Ｃと、複数の横タイル１１３Ａ〜１１３Ｃとをランダムに配置して貼り付けたものである。
【００２６】
縦タイル１１２Ａ,１１２Ｂ,１１２Ｃは、第１実施例と同様に縦方向の凹部１１２ｕをそれぞれ有し、その表面がＡ色,Ｂ色,Ｃ色にそれぞれ着色されて３種類の表面意匠となっている。
【００２７】
横タイル１１３Ａ,１１３Ｂ,１１３Ｃは、第１実施例と同様に横方向の凹部１１３ｕをそれぞれ有し、その表面がＡ色,Ｂ色,Ｃ色にそれぞれ着色されて３種類の表面意匠となっている。
【００２８】
図５は、３枚の縦タイル１１２Ａと、１枚の縦タイル１１２Ｂと、１枚の縦タイル１１２Ｃと、３枚の横タイル１１３Ｂと、３枚の横タイル１１３Ｃとの合計１１枚のタイルをランダムに配列して収納箱１２０に収納させて１つのセット１２１を構成したものを示す。
【００２９】
図６Ａは、収納箱１２０に収納された縦タイル１１２Ａ〜１１２Ｃと横タイル１１３Ａ〜１１３Ｃの配列の順番と、この配列された各タイル１１２Ａ〜１１２Ｃ,１１３Ａ〜１１３Ｃの色とを示す表２である。
【００３０】
この表２に示す順番は、図５に示す縦タイル１１２Ａ〜１１２Ｃ及び横タイル１１３Ａ〜１１３Ｃの上から並べた順番を示すものである。図７は、図４に示す建築板１１０の縦タイル１１２Ａ〜１１２Ｃ及び横タイル１１３Ａ〜１１３Ｃの同じ色の割合（比率）を示す表３である。
【００３１】
この第２実施例も第１実施例と同様に、収納箱１２０から縦タイル１１２Ａ〜１１２Ｃ及び横タイル１１３Ａ〜１１３Ｃを予め決められた順番Ｓ１〜Ｓ１１に取り出して、第１実施例と同様にして基板１１１上に貼り付けていけばよいので、第１実施例と同様な効果を得ることができる。また、縦タイル１１２Ａ〜１１２Ｃ及び横タイル１１３Ａ〜１１３Ｃは、Ａ色,Ｂ色,Ｃ色にそれぞれ着色されているので、縦タイル１１２Ａ〜１１２Ｃ及び横タイル１１３Ａ〜１１３Ｃをさらにランダムに配置した状態にすることができる。
すなわち、図６Ｂに示すように、Ａ色のタイル１１２Ａ,１１３Ａの上下と左右にＡ色と異なる色（Ｂ,Ｃ色）のタイル１１２Ｂ,１１２Ｃ,１１３Ｂ,１１３Ｃが配置された組み合わせを配置することにより、一層のランダム感を出すことができる。この実施例では、ＮＯ１０,ＮＯ１９,ＮＯ２７,ＮＯ３０の縦タイル１１２Ａと、その上下（前後）及び左右のタイルとの組み合わせで形成される。
【００３２】
上記実施例では、いずれも基板１１１上に横方向に縦タイル１２,１１２Ａ〜１１２Ｃ及び横タイル１３,１１３Ａ〜１１３Ｃを合わせて４枚貼り付ける場合について説明したが、これに限らず基板１１１の横幅によっては、例えば３枚や２枚や５枚などを貼り付ける場合も上記と同様な効果を得ることができる。また、１枚だけを貼り付ける場合であっても、収納箱２０,１２０に縦タイル１２,１１２Ａ〜１１２Ｃ及び横タイル１３,１１３Ａ〜１１３Ｃが予めランダムに配列して収納させたものであるから、収納箱２０,１２０から縦タイル１２,１１２Ａ〜１１２Ｃ及び横タイル１３,１１３Ａ〜１１３Ｃを順番に取出して貼り付けていけば、基板１１１上に縦タイル１２,１１２Ａ〜１１２Ｃ及び横タイル１３,１１３Ａ〜１１３Ｃをランダムに貼り付けることができる。
【実施例２】
【００３３】
以下、前記した実施例１とは別の形態の実施例２について、図８−図１０を参照しながら説明する。なお、前記実施例１で説明した内容と同一乃至均等な部分の説明については、同一用語又は同一符号を付して説明する。
【００３４】
図８は、実施例２の建築板１１０Ａを示す。この建築板１１０Ａは、基板１１１上に複数の縦タイル１１２Ａ〜１１２Ｃと、複数の横タイル１１３Ａ〜１１３Ｃとをランダムに配置して貼り付けたものである。
【００３５】
縦タイル１１２Ａ,１１２Ｂ,１１２Ｃは、上記第２実施例と同様に縦方向の凹部１１２ｕをそれぞれ有し、その表面がＡ色,Ｂ色,Ｃ色にそれぞれ着色されて３種類の表面意匠となっている。
【００３６】
横タイル１１３Ａ,１１３Ｂ,１１３Ｃは、上記第２実施例と同様に横方向の凹部１１３ｕをそれぞれ有し、その表面がＡ色,Ｂ色,Ｃ色にそれぞれ着色されて３種類の表面意匠となっている。
【００３７】
図９は、２枚の縦タイル１１２Ａと、１枚の縦タイル１１２Ｂと、２枚の縦タイル１１２Ｃと、２枚の横タイル１１３Ａと、３枚の横タイル１１３Ｂと、１枚の横タイル１１３Ｃとの合計１１枚のタイルをランダムに配列して収納箱１２０に収納させて１つのセット１２１Ａを構成したものを示す。
【００３８】
図１０は、収納箱１２０に収納された縦タイル１１２Ａ〜１１２Ｃと横タイル１１３Ａ〜１１３Ｃの配列の順番と、この配列された各タイル１１２Ａ〜１１２Ｃ,１１３Ａ〜１１３Ｃの色とを示す表４である。
【００３９】
この表４に示す順番は、図９に示す縦タイル１１２Ａ〜１１２Ｃ及び横タイル１１３Ａ〜１１３Ｃの上から並べた順番を示すものである。このセット１２１Ａの縦タイル１１２Ａ〜１１２Ｃ及び横タイル１１３Ａ〜１１３Ｃの同じ色の割合（比率）は、Ａ色：Ｂ色：Ｃ色＝４：４：３である。
【００４０】
この実施例２も実施例１と同様に、収納箱１２０から縦タイル１１２Ａ〜１１２Ｃ及び横タイル１１３Ａ〜１１３Ｃを予め決められた順番Ｓ１〜Ｓ１１に取り出して、実施例１と同様にして基板１１１上に貼り付けていくことで、実施例１と同様な効果を得ることができる。また、縦タイル１１２Ａ〜１１２Ｃ及び横タイル１１３Ａ〜１１３Ｃは、Ａ色,Ｂ色,Ｃ色にそれぞれ着色されているので、縦タイル１１２Ａ〜１１２Ｃ及び横タイル１１３Ａ〜１１３Ｃをさらにランダム感が出た配置にすることができる。
【００４１】
ここで、「ランダム感が出た配置」とは、抽象的な表現ではあるが、同じ色柄（タイルの色や縦横の向きも含めた柄などの表面意匠）が極端に連続しない、同じ色柄が大きな島状になって壁面に存在しない、同じパターンの繰り返しが目立たないなどの要件を満たした外観が創出されていれば、ランダム感が出た配置と言える。
なお、他の構成及び作用効果については、他の実施例と略同様であるので説明を省略する。
【実施例３】
【００４２】
以下、本実施例３では、図１１を参照しながら表面意匠について説明する。なお、前記実施例１又は２で説明した内容と同一乃至均等な部分の説明については、同一用語又は同一符号を付して説明する。
【００４３】
表面意匠を決める要素として、「タイルの縦横の向きを表す意匠」、「色」、「柄」の３つに大きく区分できる。「タイルの縦横の向きを表す意匠」は、実施例１，２で説明してきた縦タイル１２，１１２の凹部１２ｕ，１１２ｕ、横タイル１３，１１３の凹部１３ｕ，１１３ｕなどが該当する。
また、「色」は、第２実施例及び実施例２で説明したＡ色のタイル（１１２Ａ，１１３Ａ）、Ｂ色のタイル（１１２Ｂ，１１３Ｂ）、Ｃ色のタイル（１１２Ｃ，１１３Ｃ）などが該当する。
【００４４】
そして、「柄」は、凹部の数や表面に描かれた線や表面形状などによって現れる。図１１に、「柄」に影響を与えるいくつかのタイルの断面形状を示した。この断面形状は、「タイルの縦横の向きを表す意匠」にも影響を与える場合がある。
【００４５】
線状型に分類された断面形状は、表の左側は切り込みが入った状態を示し、右側はタイルの表面に線が描かれた状態を示している。また、凹型に分類された断面形状は、表の左側は傾斜面によって凹部が形成された状態を示し、右側は段差によって凹部が形成された状態を示している。
【００４６】
さらに、凸型に分類された断面形状は、表の左側は傾斜面によって凸部が形成された状態を示し、右側は段差によって凸部が形成された状態を示している。また、半円型に分類された断面形状は、表の左側は凸レンズ状に盛り上がった状態を示し、右側は凹レンズ状に窪んだ状態を示している。そして、片勾配型に分類された断面形状は、表の左側は一方向の傾斜面に形成された状態を示し、右側は段差によって勾配が形成された状態を示している。
【００４７】
これら図１１の表５に示した断面形状は、いずれもタイルの表面意匠の「柄」に影響を及ぼす。すなわち、断面形状が異なることによって、異なる「柄」の表面意匠が形成される。
【００４８】
そして、隣接するタイルの表面意匠が異なるように配列してセットにすることで、前記実施例１，２で説明したようなタイルがランダムに配置されたランダム感が出た建築板を簡単に製造することができる。
ここで、複数の表面意匠のタイルは、「柄」を変えるだけでも用意することができるし、「タイルの縦横の向きを表す意匠」、「色」、「柄」のうちの２つ又は３つを組み合わせて用意することもできる。
なお、他の構成及び作用効果については、他の実施例と略同様であるので説明を省略する。
【実施例４】
【００４９】
以下、本実施例４では、図１２，１３を参照しながら建築板の１配列となるセットの枚数について説明する。なお、前記実施例１乃至３で説明した内容と同一乃至均等な部分の説明については、同一用語又は同一符号を付して説明する。
【００５０】
図１２は、１枚の壁全体（壁全高、タイルの段数で２５段）で見た場合に、セットの枚数（梱包枚数）と１段の幅との関係で、タイルの配列再現単位がどのように変化するかをまとめた一覧表（表６）である。
【００５１】
まず、この表６の見方を図１３Ａ，１３Ｂを使って説明する。図１３Ａは、一例として、３種類の表面意匠のタイル３２ａ，３２ｂ，３２ｃを収納箱３３に収納させて１つのセット３４を構成したもの示している。
【００５２】
そして、図１３Ｂに示すように、収納箱３３からタイル３２ａ〜３２ｃを予め決められた順番Ｓ１〜Ｓ３に取り出して、基板３１上に貼り付けていく。すなわち、基板３１の下部の第１基線Ｉから第２基線ＩＩに向かって貼り付けていき、その貼り付けが基板３１の第２基線ＩＩまで達したとき、一段上げて第１基線Ｉから第２基線ＩＩに向けて再度貼り付けていく。
【００５３】
ここで、第１基線Ｉ、第２基線ＩＩとしたのは、これらが基板３１の側縁にそれぞれ該当する場合もあるし、基板３１の幅（パネル幅）が広い場合は、作業単位を分割して途中で上の段に繰り上がる場合があるためである。例えば表６に示したパネル幅675mmの基板３１では、作業単位を225mmと450mmの２つに左右に分割している。このため最初の貼付け作業では、第１基線Ｉは基板３１の左端の側縁となるが、第２基線ＩＩは左端の側縁から225mmの位置という基板３１の途中に現れる。そして、残りの貼付け作業では、基板３１の左端の側縁から225mmの位置が第１基線Ｉとなり、基板３１の右端の側縁が第２基線ＩＩとなる。
【００５４】
そして、セット３４の順番でタイル３２ａ〜３２ｃを貼り付けていくと、図１３Ｂに示すように１つ目のセット３４の最後が２段目に到達する。さらに、それに続いて２つ目のセット３４からタイル３２ａ〜３２ｃを取り出して順番に貼り付けていくと、３段目で同じ配列が再現することになる。この単位を配列再現単位３５とする。図１３Ｂには、２回分の配列再現単位３５，３５を図示した。
【００５５】
そして、図１２の表６に戻ってみると、セット３４の枚数（梱包枚数）が３枚で、１段あたりの貼付け枚数が２枚の場合は、配列再現単位３５の出現回数が９回となっている。すなわち、壁全体（壁全高）で２５段を配列再現単位３５の３段で割ると、８回と１段の余りが出るので、出現回数は９回となる。
【００５６】
この配列再現単位の出現回数が壁全体（壁全高）で少ないほど、ランダムな配置に見えることになる。そこで、配列再現単位の出現回数が少なくなる梱包枚数（セットの枚数）を見てみると、７枚，１１枚，１３枚の梱包枚数のときに、いずれのパネル幅（１段の幅）でも出現回数が他の梱包枚数よりも小さく（４回、３回、２回）なっていることがわかる。さらに、梱包枚数が５枚の場合も、パネル幅（１段の幅）が557mmのケースだけ出現回数が大きくなってしまっているが、それ以外のパネル幅では出現回数が小さく５回に抑えられている。
【００５７】
すなわち、梱包枚数が３より大きい素数（５枚，７枚，１１枚，１３枚）の場合に、壁全体（壁全高）における配列再現単位の出現回数を小さくすることができる。そして、建築板には、セットに収容された順番にタイルが貼り付けられていくので、３より大きい素数の枚数毎に同じ配列が現れる構成となっているときに、ランダム感が出た配置にできる。
なお、他の構成及び作用効果については、他の実施例と略同様であるので説明を省略する。
【００５８】
この発明は、上記実施例に限られるものではなく、特許請求の範囲の発明の要旨を逸脱しない限り、設計の変更や追加等は許容される。
【符号の説明】
【００５９】
１０        建築板
１１        基板
１２        縦タイル
１２ｕ      凹部（表面意匠）
１３        横タイル
１３ｕ      凹部（表面意匠）
２１        セット
１１０        建築板
１１１        基板
１１２Ａ〜１１２Ｃ        縦タイル
１１２ｕ      凹部（表面意匠）
１１３Ａ〜１１３Ｃ        横タイル
１１３ｕ      凹部（表面意匠）
１２１        セット
１１０Ａ      建築板
１２１Ａ      セット
【図１Ａ】
2017186884.tif 000003
【図１Ｂ】
2017186884.tif 000004
【図２】
2017186884.tif 000005
【図３】
2017186884.tif 000006
【図４】
2017186884.tif 000007
【図５】
2017186884.tif 000008
【図６Ａ】
2017186884.tif 000009
【図６Ｂ】
2017186884.tif 000010
【図７】
2017186884.tif 000011
【図８】
2017186884.tif 000012
【図９】
2017186884.tif 000013
【図１０】
2017186884.tif 000014
【図１１】
2017186884.tif 000015
【図１２】
2017186884.tif 000016
【図１３Ａ】
2017186884.tif 000017
【図１３Ｂ】
2017186884.tif 000018